(57)【特許請求の範囲】
【請求項１】
梁と、柱と、屋根とを備え、梁には梁の長手方向に沿って屋根の取付部を設けており、屋根の桁には被取付部があり、被取付部は桁の長手方向に沿って設けてあり、少なくとも一つの梁の長さが屋根の間口寸法よりも長く設定してあり、且つ少なくとも一つの梁が屋根に対して斜めに配置してあり、屋根を梁に固定してあることを特徴とする簡易建物。
【請求項２】
梁と、柱と、屋根とを備え、梁の両端にそれぞれ柱を取付けることにより略コ字形に形成した前フレーム及び後フレームを有し、前フレーム及び後フレームの梁には梁の長手方向に沿って屋根の取付部を設けており、屋根の桁には被取付部があり、被取付部は桁の長手方向に沿って設けてあり、前フレーム及び後フレームの梁の長さが屋根の間口寸法より長く、且つ前フレームの梁の長さが後フレームの梁の長さより長く設定してあり、屋根を梁に固定してあることを特徴とする簡易建物。
【請求項３】
屋根の間口寸法は、前フレームの梁の長さの略半分の長さに設定してあることを特徴とする請求項１又は２に記載の簡易建物。
【発明の詳細な説明】
【０００１】
【発明の属する技術分野】
本発明は、カーポート等の簡易建物に関する。
【０００２】
【従来の技術】
この種の簡易建物では、梁の長さは屋根の間口と略同寸法であった。このため、梁を支える柱は屋根の間口の両端と同じかそれよりも内側にあった。即ち、柱は屋根の真下の位置に限られていた。
【０００３】
【発明が解決しようとする課題】
しかし、屋根の真下に柱がある場合、車を屋根の下に止めるとき等に、車の出入りに際して柱が邪魔になることがあった。
また、屋根の間口寸法により柱の設置位置が定まっているので、地面に水道管等の障害物がある場合や敷地の形状等の敷地条件によっては、柱が立てられない場所があるため、簡易建物の設置場所に制約があった。
【０００４】
そこで、本発明は、柱が邪魔になるのを防止でき且つ設置位置の自由度が高い簡易建物の提供を目的とする。
【０００５】
【課題を解決するための手段】
請求項１に記載の発明は、梁と、柱と、屋根とを備え、梁には梁の長手方向に沿って屋根の取付部を設けており、屋根の桁には被取付部があり、被取付部は桁の長手方向に沿って設けてあり、少なくとも一つの梁の長さが屋根の間口寸法よりも長く設定してあり、且つ少なくとも一つの梁が屋根に対して斜めに配置してあり、屋根を梁に固定してあることを特徴とする。
【０００６】
この請求項１に記載の発明では、梁の長手方向に取付部を設けるとともに、桁の長手方向に被取付部を設けることにより、屋根を間口の前後左右にずらして取り付けできる。
よって、屋根の位置で柱の位置が定まらないので、敷地の条件に応じて柱を立て、屋根を所望の位置にずらせるので、柱の立設場所を自由に定めることができる。従って、簡易建物の設置位置の自由度が高い。
また、柱の立設位置に制限がないから、屋根の下に車が出入りする際等に柱を屋根から離れた位置に設けることにより柱が邪魔になることがない。
梁や柱は共通のものを用い、屋根だけを変えることができるから、異なる種類の屋根を用いる場合にも屋根のみを変えればよいので、好みに応じた簡易建物を低いコストで提供できる。
敷地形状に沿って屋根の取付位置を、屋根の桁を梁に対して斜めにしてあるので、敷地形状に合う屋根の取付ができ、外観が良いとともに、デッドスペースを少なくして敷地の有効利用を図ることができる。
請求項２に記載の発明は、梁と、柱と、屋根とを備え、梁の両端にそれぞれ柱を取付けることにより略コ字形に形成した前フレーム及び後フレームを有し、前フレーム及び後フレームの梁には梁の長手方向に沿って屋根の取付部を設けており、屋根の桁には被取付部があり、被取付部は桁の長手方向に沿って設けてあり、前フレーム及び後フレームの梁の長さが屋根の間口寸法より長く、且つ前フレームの梁の長さが後フレームの梁の長さより長く設定してあり、屋根を梁に固定してあることを特徴とする。
【０００７】
この請求項２に記載の発明では、梁の長手方向に取付部を設けるとともに、桁の長手方向に被取付部を設けることにより、屋根を間口の前後左右にずらして取り付けでき、屋根の取付位置の自由度が高い。これにより、柱の立設位置の自由度も高い。
また、前フレームの梁の長さが後フレームの梁の長さよりも長く設定してあるので、敷地の形状や条件によって車の出入り口を広く取る必要がある場合でも、前フレームの柱の間隔を広く取ることによって、柱が車の出入りの邪魔にならない。
請求項３に記載の発明は、請求項１又は２に記載の発明において、屋根の間口寸法は、前フレームの梁の長さの略半分の長さに設定してあることを特徴とするので、請求項１又は２に記載の効果を奏する。
【０００８】
【０００９】
【００１０】
【発明の実施の形態】
以下に、添付図面を参照して、本発明の実施の形態を詳細に説明する。図１〜図１６を参照して本発明の第１実施の形態を説明する。本実施の形態にかかる簡易建物１は、カーポートである。簡易建物１は、梁３と、柱５と、屋根７とから構成されており、屋根７は梁３に吊下げて固定されている。
梁３は、両端を柱５間に固定しており、梁３と２本の柱５とでフレーム９を構成し、このフレーム９は、間口の前後に設けている。前後のフレーム９、９は、各梁３の長さＷ１、Ｗ２が屋根７の間口寸法Ｍよりも長い。このように、梁３の長さＷ１、Ｗ２を屋根の間口寸法Ｍよりも長くすることにより、屋根７の取付位置を梁３の長さ内で変えることができるとともに、梁３の長さを変えることにより、柱５の立設位置を変えることができる。また、梁３を支える柱５が屋根の真下よりも外にあるので、柱５が邪魔にならず且つ屋根７の下の空間を広く利用することができる。
更に、本実施の形態では、間口の前にある前フレーム９は梁３の長さＷ１が後フレーム９の梁３の長さＷ２よりも長くなっている。即ち、図４に示すように、敷地の形状や条件によっては車の出入り口を広く取る必要があり、前フレーム９の柱５の間隔を広く取ることによって、柱５が車の出入りの邪魔にならない。また、柱５の立設場所が制限されないから、カーポートの施工において人や車の動線、視線を考慮して柱位置を設定すれば、両側支持式カーポートの視覚的安心感を得られるとともに片側支持式カーポートの開放感を得ることができる。
また、図４に示すように、車の乗降の際にも柱５が邪魔にならないように車と柱５との距離を十分に広くとることができる。したがって、車椅子等からの乗降もし易い。
屋根７は、湾曲したドーム型であり、その両桁１１を取付具１３で固定している。取付具１３は、垂下部材１５と傾斜部材１７とを備えており、垂下部材１５の上端１５ａと傾斜部材１７の上端１７ａとを梁３に固定し、垂下部材１５の下端１５ｂと傾斜部材１７ｂの下端１７ｂを屋根７の桁１１に固定している。垂下部材１５と傾斜部材１７とで桁１１を固定することにより、屋根７の横揺れを防止して安定に屋根７を固定することができる。屋根７はフレーム９の梁に取り付けるものであるから、屋根７のみを替えることができる。したがって、形状や寸法種類の異なる屋根７を用いる場合にも柱５及び梁３は共通のものを用いることができる。
屋根７には、雨樋１９が間口方向に沿って両桁１１、１１に渡って設けられており、間口方向の一方の桁１１側に流れた雨水を他方の桁１１側に案内している。この雨樋１９は他方の桁１１側の柱５に取付られた垂直方向の雨樋から地面に排水される。従って、一方の桁１１側に流れた雨水がそのまま垂れ落ちることがない。
次に、梁３と屋根７との固定について説明する。梁３には長手方向に沿って屋根７の取付部２１を設けている。取付部２１は溝であり、溝の開口部には係合部２３が形成されており、梁側固定具２５が取付部２１に係合したまま取付部２１を長手方向に移動可能になっている。尚、図５において、一点鎖線で抜き出して示しているのは梁３の断面図である。
屋根の桁１１には、被取付部２７が桁１１の長手方向に沿って設けられている。被取付部２７は溝であり、図１４に示すように、被取付部２７には係合部２９が設けられて桁側固定具３１が被取付部２７に係合したまま桁１１の長手方向に移動可能になっている。
梁側固定具２５は２つあり、一方の梁側固定具２５には垂下部材１５の上部１５ａが固定されており、他方の梁側固定具２５には傾斜部材１７の上部１７ａが固定されている。桁側固定具３１には、垂下部材の下部１５ｂと傾斜部材の下部１７ｂが固定されている。
梁側固定具２５は、図１１に示すような２枚の裏板３９、図１６に示す受け部材３４の間に、図１０に示すような略半円形状の保持部材４３を２枚並べて略円形とした状態で挟んでボルト４４で止めている。裏板３９は梁３の取付部２１に係止されており、２つの保持部材４３は対峙して設け、垂下部材１５の上部１５ａを挟んで保持している。受け部材３４は垂下部材１５の上部１５ａを受けている。同様に傾斜部材１７においても、２つの保持部材４３は傾斜部材１７の上部１７aを挟んで保持しているとともに受け部材３４で傾斜部材１７の上部１７ａを受けている。
各保持部材４３には、円周方向に沿う長孔状のボルト挿通孔４２が形成されており、ボルト挿通孔４２には、裏板３９のねじ孔４０と、受け部材３４のねじ孔３４ａに螺合するボルト４４が挿通される。保持部材４３はボルト挿通孔４２の範囲で回転方向に位置を変えることが可能である。
このように、梁３の長手方向に取付部２１を設けるとともに、桁１１の長手方向に被取付部２７を設けることにより、梁３に対する桁１１の位置を間口の左右方向や出入方向（前後）に自由に決めることができる。更に、保持部材４３の角度を変えられるから、梁３に対して桁１１が垂直方向でなく斜めになっても取り付けができる。換言すれば、梁３対して屋根７を所定角度を持って取り付けでき、屋根７を斜め取り付けできる。
桁側固定具３１は、傾斜部材１７の下部１７ｂと垂下部材１５の下部１５ｂとを保持可能な保持部材３８と、被取付部２７に係止する裏板４５と、傾斜部材１７の下部１７ｂを押さえる押部材４７を備えており、保持部材３８と裏板４５と押部材４７とをボルト４８で止めている。
保持部材３８には、挿通孔４９が形成されており、垂下部材１５の下部１５ｂが勘入されている。挿通孔４９には垂下部材１５の下部１５ｂに突設された係合部５１が係合する被係合部５３が形成されている。被係合部５３には垂下部材１５の係合部５１を挿入した後、保持部材３８を回すことにより係合部５１が保持部材３８に係止して抜けないように保持する。傾斜部材１７の下部１５ｂは、断面円弧形状の保持溝５５に載置されて、押部材４７で保持溝５５内に押えられている。
垂下部材１５の下部１５ｂの両端は、それぞれ桁側固定具３１で固定されており、傾斜部材１７の下部１７ｂは２つの桁側固定具３１で固定されているが、合計３個の桁側固定具３１を用いて、一つの桁側固定具３１では垂下部材１５と傾斜部材１７とを共通して止めているので、４個所の固定を３つの桁側固定具３１でおこなうことができる。
【００１１】
次に、本実施の形態にかかる簡易建物１の施工及び作用を説明する。梁３の両端にそれぞれ柱５を取り付けて略コ字形状のフレーム９を組み立てる。次に、柱５を固定してフレーム９を立てる。梁３の長手方向の長さＷ１、Ｗ２は、屋根７の間口Ｍよりも長いが、前側フレーム９と後側フレーム９との梁３は同じ長さであっても良いし、異なる長さであってもよい。本実施の形態では、図４に示すように、前フレーム９の梁３は後フレーム９よりも長く、前フレーム９の一方の柱５は玄関ポーチ６２を越えた位置に立てている。尚、柱５の位置に水道管等の障害がある場合には、障害を避けた長さの梁３を用いて柱５を立設できるので、敷地条件に応じた施工ができる。
フレーム９を立ち上げ後、各フレーム９の梁３に屋根７を吊下げた状態で取り付ける。取り付けは、梁３の下面側に設けた取付部２１に２つの梁側固定具２５、２５を係合させて、ボルト４４を緩く止めておく。一方の梁側固定具２５には垂下部材１５の上部１５aを取り付け、他方の梁側固定具２５には、傾斜部材１７の上部１７aを取り付けてある。
屋根７の桁１１には、被取付部２７に沿う任意の位置に、垂下部材１５と傾斜部材１７との下部を保持する保持部材３８が取り付け可能であり、所定の位置で保持部材３８と裏板４５と押部材４７とをボルト４８で締め付けて固定する。尚、垂下部材１５のみを固定する桁側固定具３１と傾斜部材１７のみを固定する桁側固定具３１もボルト締めし、合計３個の桁側固定具３１を桁１１に固定する。
梁側固定具２５も位置決めしたところで、ボルト締めして固定するが、屋根７の取付位置を前後に移動させたい場合には、桁１１の被取付部２７に沿って桁側固定具３１が移動可能であるから、桁側固定具３１の位置を桁１１に対して相対的に移動させることにより、前後にずらした位置に屋根の取付ができる。
一方、屋根７を梁３の長手方向にずらした位置で取り付ける場合には、２つの梁側固定具２５を梁３の取付部２１に沿って移動し、任意の位置でボルト締めすることにより、梁３の長手方向における任意の位置で屋根７を取り付けることができる。
更に、図７及び図８に示すように、梁３に対して屋根７の桁１１が傾斜する位置（屋根７を斜めにした位置）で取り付ける場合には、桁側固定具３１を桁１１に沿ってずらすとともに、梁側固定具２５の保持部材４３を梁３に対して所定角度回動した位置でボルト４４を締めつけて固定する。
次に、他の実施の形態を説明するが、以下の説明において、上述した実施の形態と同一の作用効果を奏する部分には同一の符号を付することにより、その部分の詳細な説明を省略する。
図１７に示す実施の形態では、バルコニー６１が車庫の屋根の略半分を構成しているため、簡易建物１の屋根７とバルコニー６１とで車庫の屋根としている場合であり、簡易建物の屋根７は、梁３の略半分の長さにしたものである。この実施の形態では、敷地にある建物の条件に合わせて、形状や大きさを変えた屋根７を取り付けることができる。
図１８に示す実施の形態では、屋根７を２つ吊下げた例を示すものである。屋根７は２つに限らず、いくつ吊下げるものであってもよい。即ち、同じ梁３に必要に応じて一つ取付てもよいし、２つ取り付けてもよく、寸法の小さい屋根７を用いることにより、梁３の一部に屋根を付けたり全体にわたって取り付けたりでき、バリエーションが豊富になる。
図１９に示すものでは、簡易建物１の屋根７の横に玄関アプローチ６４がある場合に、玄関アプローチ６４の上にパーゴラ５７を取り付けたものである。即ち、簡易建物１の設置スペースの横が玄関アプローチ６４なっている場合に、簡易建物の柱を玄関アプローチ６４の邪魔にならないように、玄関アプローチ６４を越えた位置に立設するとともに、梁に屋根を取り付けていない部分にパーゴラ５７を取り付けることにより、梁３の余った部分を有効利用することができる。また、玄関アプローチ部分６４の上にパーゴラ５７を設けることにより、玄関アプローチ６４を植栽で演出できる。更に、パーゴラ５７用の柱を別途設ける必要がないので、柱を少なくすることができる。尚、玄関アプローチ６４の上にはパーゴラ５７に替えて、雨をよけるための通常の屋根７を取り付けてもよい。
図２０〜図２７を参照して、梁３の上に屋根７を取り付ける場合の取付について説明する。この実施の形態では、梁３の上面に屋根７の取付部２１が梁３の長手方向に沿って設けられているとともに、桁１１の下面に被取付部２７が設けてあり、取付部２１と被取付部２７とを固定具で固定するものである。梁３の上に屋根７を載せる場合にも上述した実施の形態と同様に、屋根７を前後や間口方向、更に斜めに取付できる。
図２０〜図２７で説明する実施の形態においても、上述した実施の形態で用いた柱５と、梁３と、桁１１と同じものを用いている。即ち、梁３の上部に取付部２１が設けられており、桁１１の下部には被取付部２７が設けられている。桁１１の下部にある溝には、梁置部材７１を勘合しており、梁３の上面に安定に載置できるようしている。
この梁置部材７１は、中空を有する略四角柱状であり、側部に突設部７３を形成しており、突設部７３は取付部２１と後述する固定具７５との間に介在されている。
固定具７５は、梁３と桁１１とを固定するものであり、取付部２１に係合する係合部材７４と、係合部材を桁１１にねじ止めするボルト７７及びナット７９とを備えている。係合部材７４は取付部２１に係止する鉤状の係止部８１とボルト７７の挿通孔８３とを備えている。ボルト７７の頭７７aは、桁１１の被取付部２７に取付られている。被取付部２７は桁１１の長手方向に沿って設けた係合溝であり、ボルト７７の頭７７aが係合して桁１１に保持されている。ボルト７７のねじ部にはナット７９が螺合されている。本実施の形態では、ナット７７は袋ナットである。
本実施の形態では、図２２及び図２４に示すように、梁３に対して桁１１を略直角に取り付ける場合には、桁１１の下部に梁置部材７１を嵌め、梁３の上に載置した後、固定具７５の係止部８１を梁３の取付部２１に係止し、固定具７５のボルト挿通孔８３にボルト７７を挿通して、ナット７９を締め付ける。これにより、簡単に梁３に屋根７を据え置きした状態で固定することができる。
一方、梁３に対して桁１１が傾斜するように、屋根７を梁３に対して斜めに取り付ける場合には、ボルト７７にナット７９を軽くとめて、図２５に示すように屋根７を斜めに移動すると、係合部材７４が梁３の取付部２１に沿ってスライドし、ボルト７７も被取付部２７に沿ってスライドするので、その位置でナットを締め付けて固定する。これにより、梁３に屋根７が斜めになった状態で屋根７を取り付けることができる。
上述した実施の形態から明らかなように、梁３にはその下部と上部とにそれぞれ取付部２１を設けており、桁１１にもその上部と下部とにそれぞれ被取付部２７を設けているので、同じ梁３と屋根７と柱５とを用い、固定具２５、３１、７５を替えるだけで、屋根７を梁３に吊下げたり、梁３の上に据え置いて固定することができる。
図２８は、他の実施の形態にかかる簡易建物１を示すものであり、屋根を吊下げる場合に平坦なパネル状の屋根を吊下げた例を示すものである。このように、本発明では、屋根の形状や種類は限定されず、柱５と梁３とは同じものを使用して屋根のみを所望の種類のものを用いることができる。
図２９は、梁３の上に屋根７を載せて取り付ける場合であって、ドーム型の屋根７とパーゴラ５７とを取り付けたものである。このように、梁３の上に屋根７を載せて取り付ける場合にも、梁３の上に据え置いて取り付ける屋根７の種類や形状等は制限されないとともに、柱５と梁３は同じものを使用して異なる種類の屋根７を用いるほか、屋根７の横にパーゴラ５７等の他の種類の屋根を取り付けるものであってもよい。
【００１２】
本発明は、上述した実施の形態に限らず、本発明の趣旨を逸脱しない範囲で種々変形可能である。
例えば、簡易建物１は、カーポートに限らず、サイクルポートや、通路シェルター、物置等であってもよい。
梁３には、その上部と下部との両方に取付部２１を設けたがいずれか一方のみに取付部２１を設けるものであってもよいし、これに対応して桁１１も下部と上部とのいずれか一方にのみ被取付部２７を設けるものであってもよい。
梁３に設ける取付部２１及び桁１１に設ける被取付部２７は、それぞれ梁３や桁の上面又は下面に設けることに限らず、側面に設けてもよい。
梁３と柱５を固定したフレーム９の数は２つに限らず、いくつでもよい。
垂下部材１５や傾斜部材１７は、棒状のものに限らず、板状や角パイプまたはアングルであってもよい。
傾斜部材１７の傾斜方向は、一方の桁１１及び他方の桁１１で反対になる方向（一方の桁１１と他方の桁１１とに設けた傾斜部材１７、１７がハの字を形成する方向）に限らず、同じ方向（傾斜部材１７、１７が略平行になる方向）に設けてもよい。
垂下部材１５及び傾斜部材１７はそれぞれの下部を２個所で固定したが、１個所で固定するものであってもよい。
【００１３】
【発明の効果】
請求項１に記載の発明によれば、梁の長手方向に取付部を設けるとともに、桁の長手方向に被取付部を設けることにより、屋根を間口の前後左右にずらして取り付けできる。
よって、屋根の位置で柱の位置が定まらないので、敷地の条件に応じて柱を立て、屋根を所望の位置にずらせるので、柱の立設場所を自由に定めることができる。従って、簡易建物の設置位置の自由度が高い。
また、柱の立設位置に制限がないから、屋根の下に車が出入りする際等に柱を屋根から離れた位置に設けることにより柱が邪魔になることがない。
梁や柱は共通のものを用い、屋根だけを変えることができるから、異なる種類の屋根を用いる場合にも屋根のみを変えればよいので、好みに応じた簡易建物を低いコストで提供できる。
敷地形状に沿って屋根の取付位置を、屋根の桁を梁に対して斜めにしてあるので、敷地形状に合う屋根の取付ができ、外観が良いとともに、デッドスペースを少なくして敷地の有効利用を図ることができる。
請求項２に記載の発明によれば、梁の長手方向に取付部を設けるとともに、桁の長手方向に被取付部を設けることにより、屋根を間口の前後左右にずらして取り付けでき、屋根の取付位置の自由度が高い。これにより、柱の立設位置の自由度も高い。
また、前フレームの梁の長さが後フレームの梁の長さよりも長く設定してあるので、敷地の形状や条件によって車の出入り口を広く取る必要がある場合でも、前フレームの柱の間隔を広く取ることによって、柱が車の出入りの邪魔にならない。
請求項３に記載の発明によれば、請求項１又は２に記載の効果を奏する。
【図面の簡単な説明】
【図１】図４に示す簡易建物を間口の前側から見た正面図である。
【図２】図４に示す簡易建物の側面図である。
【図３】図４の簡易建物の平面図である。
【図４】簡易建物を敷地に施工した平面図である。
【図５】梁と屋根の桁との取付部分を示す断面図である。
【図６】梁と屋根の桁との取付部分を示す平面図である。
【図７】敷地条件が異なる場合に簡易建物を施工した平面図である。
【図８】屋根を梁に対して斜めに取り付けた場合の取付部分を示す平面図である。
【図９】図８に示す取付部分の側面図である。
【図１０】梁側固定具の保持部材の平面図である。
【図１１】梁側固定具の裏板の平面図である。
【図１２】傾斜部材の正面図である。
【図１３】垂下部材の正面図である。
【図１４】桁の被取付部に桁側固定具を取り付けた状態を示す断面図である。
【図１５】桁側固定具の保持部材の図であり、（ａ）は平面図、（ｂ）は正面図である。
【図１６】梁側固定具の受け材の平面図である。
【図１７】他の実施の形態にかかる簡易建物を施工した平面図である。
【図１８】他の実施の形態にかかる簡易建物を施工した側面図である。
【図１９】他の実施の形態にかかる簡易建物の平面図である。
【図２０】屋根を梁に据え置き固定する場合の簡易建物の正面図である。
【図２１】屋根を梁に据え置き固定する場合の梁と屋根の桁との取付部分を示す断面図である。
【図２２】図２１に示す梁と屋根の桁との取付部分を示す平面図である。
【図２３】図２１に示す梁と屋根の桁との取付部分を、梁の断面方向で切断して示す図である。
【図２４】図２１に示す梁と屋根の桁との取付部分を示す分解斜視図である。
【図２５】図２１に示す屋根を梁に対して斜めに取り付けた場合の取付部分を示す平面図である。
【図２６】係合部材の図であり、（ａ）は平面図（ｂ）は正面図（ｃ）は側面図である。
【図２７】梁置部材の図であり、（ａ）は側面図（ｂ）は正面図である。
【図２８】屋根を梁に吊下げる場合における他の実施の形態にかかる簡易建物の斜視図である。
【図２９】屋根を梁に据え置き固定する場合における他の実施の形態にかかる簡易建物の斜視図である。
【符号の説明】
１    簡易建物
３    梁
５    柱
７    屋根
１１  桁
１５  垂下部材
１７  傾斜部材
２１  取付部
２７  被取付部
Ｍ    間口寸法
Ｗ１、Ｗ２  梁の長手寸法
【図１】
0003613187.tif 000002
【図２】
0003613187.tif 000003
【図３】
0003613187.tif 000004
【図４】
0003613187.tif 000005
【図５】
0003613187.tif 000006
【図６】
0003613187.tif 000007
【図７】
0003613187.tif 000008
【図８】
0003613187.tif 000009
【図９】
0003613187.tif 000010
【図１０】
0003613187.tif 000011
【図１１】
0003613187.tif 000012
【図１２】
0003613187.tif 000013
【図１３】
0003613187.tif 000014
【図１４】
0003613187.tif 000015
【図１５】
0003613187.tif 000016
【図１６】
0003613187.tif 000017
【図１７】
0003613187.tif 000018
【図１８】
0003613187.tif 000019
【図１９】
0003613187.tif 000020
【図２０】
0003613187.tif 000021
【図２１】
0003613187.tif 000022
【図２２】
0003613187.tif 000023
【図２３】
0003613187.tif 000024
【図２４】
0003613187.tif 000025
【図２５】
0003613187.tif 000026
【図２６】
0003613187.tif 000027
【図２７】
0003613187.tif 000028
【図２８】
0003613187.tif 000029
【図２９】
0003613187.tif 000030